(57)【要約】      （修正有）【課題】様々な使用者や使用状況に対応し、かつ、使用時における持ち手の中での安定性を十分に有する深爪防止爪切り具を提供する。【解決手段】弾性を有する２枚の長板からなってかつ互いに上下に対向して配置されて二又形状になるようにそれぞれの後端部を接合された上側弾性板１１および下側弾性板１２と、これらの前端部近傍に設けられた開口部を貫通する略円柱形状の支軸１４と、支軸１４の上端部近傍において支軸１４の直径方向を回転軸として搖動可能に枢結される操作ハンドル１５と、を具え、上側弾性板１１の先端に形成した上刃１１１と、下側弾性板１２の先端に形成した下刃１２１とが、操作ハンドル１５の搖動によって接近および離間し、さらに、支軸１４は、その位置が下側弾性板１２に対して軸方向に変位可能であって、支軸１４の変位を規制して下側弾性板１２に対する支軸１４の位置を調整可能に係止する係止機構が、下側弾性板１２と支軸１４との間に設けられるようにした。【選択図】図１
0003205053.tif 000002
【実用新案登録請求の範囲】
【請求項１】
弾性を有する２枚の長板からなってかつ互いに上下に対向して配置されて二又形状になるようにそれぞれの後端部を接合された上側弾性板および下側弾性板と、
該上側弾性板および下側弾性板の前端部近傍に設けられた開口部を貫通する略円柱形状の支軸と、
該支軸の上端部近傍において該支軸の直径方向を回転軸として搖動可能に枢結される操作ハンドルと、を具え、
前記上側弾性板の前端部を下方向に屈曲してその先端を鋭利状にして形成した上刃と、前記下側弾性板の前端部を上方向に屈曲してその先端を鋭利状にして形成した下刃とが、前記操作ハンドルの搖動によって接近および離間する爪切り器において、
前記支軸は、その位置が前記下側弾性板に対して軸方向に変位可能であって、
前記支軸の変位を規制して前記下側弾性板に対する前記支軸の位置を調整可能に係止する係止機構が、前記下側弾性板と前記支軸との間に設けられることを特徴とする深爪防止爪切り具。
【請求項２】
前記支軸と同軸を有して、中心に孔を有する円筒形状の軸部と、該軸部の下端に延設され外側に張り出した鍔である把手部とからなる回転つまみを具え、
前記軸部が、前記下側弾性板の前記開口部に挿通して、前記回転つまみが前記下側弾性板に対して軸方向に移動不能かつ回動自在であるように支承され、
前記支軸の下部外周面に形成したねじ山と、前記回転つまみの前記孔の内周面に形成したねじ山とが螺合して前記係止機構をなし、
前記回転つまみの回動によって、前記支軸が螺送されることを特徴とする請求項１に記載の深爪防止爪切り具。
【請求項３】
前記支軸に対して軸方向に移動不能かつ該支軸と同軸を有して、該支軸を挿通する孔を中心に有する円筒形状の軸部と、該軸部の下端に延設され外側に張り出した鍔である把手部とからなる回転つまみを具え、
前記軸部の外周面に形成したねじ山と、前記下側弾性板の前記開口部の内周面に形成したねじ山とが螺合して前記係止機構をなし、
前記回転つまみの回動によって、前記下側弾性板が螺送されることを特徴とする請求項１に記載の深爪防止爪切り具。
【請求項４】
下端が閉塞した円筒形状であって、内側底面においてその周方向にＮ（Ｎ＝１以上の整数）分割した位置にそれぞれ１つずつ上方に突出する凸部を有し、前記支軸に対して軸方向に移動不能かつ該支軸と同軸を有する回転つまみと、
回転つまみの内径より若干小さい外形を有する円柱形状であって、その下面が周方向にＮ×Ｍ（Ｍ＝２以上の整数）分割されてＭ段のＮ重螺旋階段状に構成され、前記支軸を挿通する貫通孔を中心に有して前記下側弾性板の下面に固着する回転つまみ受部と、を具え、
前記凸部と前記回転つまみ受部の前記螺旋階段状の下面とが係合して前記係止機構をなし、
前記回転つまみの回動によって、該回転つまみと前記回転つまみ受部とが接近および離間して、前記下側弾性板の前記開口部が前記支軸に対して軸方向移動することを特徴とする請求項１に記載の深爪防止爪切り具。
【請求項５】
前記支軸の下部外周面に形成したねじ山と、前記下側弾性板の前記開口部の内周面に形成したねじ山とが螺合して前記係止機構をなし、
前記操作ハンドルを介した前記支軸の回動によって、前記下側弾性板が螺送されることを特徴とする請求項１に記載の深爪防止爪切り具。
【請求項６】
前記下側弾性板の下面に沿って前後方向に摺動可能であって、上下に貫通して前記支軸が挿通する前後方向に長軸を有する長孔と、該長孔の下端部の両側縁において上方に凹設されて前方に向かって上方に傾斜する傾斜レールと、を有する直方体形状の摺動つまみと、
前記支軸に対して軸方向に移動不能であって、上面の両側端部が前記傾斜レールに対向して摺接するよう該上面が後方に向かって下方に傾斜する傾斜上面からなる摺動つまみ受部と、を具え、
前記摺動つまみ受部の傾斜上面と前記摺動つまみの傾斜レールとが係合して前記係合機構をなし、
前記摺動つまみの前後動によって、該摺動つまみに対して前記摺動つまみ受部が軸方向移動して、前記下側弾性板の前記開口部が前記支軸に対して軸方向移動することを特徴とする請求項１に記載の深爪防止爪切り具。
【考案の詳細な説明】
【技術分野】
【０００１】
本考案は、手および足の爪を切る爪切り具に関し、特に、深爪を防止する機能を有する深爪防止爪切り具に関する。
【背景技術】
【０００２】
従来の一般的な爪切り具は、弾性を有した二枚の金属の長板を上下に対向させてかつ二又形状になるよう後端部を接合してなる上側弾性板および下側弾性板と、各弾性板の前端部近傍に設けた開口部のそれぞれに貫通して、各弾性板に対して回転可能かつ下側弾性版に対して抜け止めを施された支軸と、支軸の上端部において支軸の直径方向を回転軸として回動可能に軸支された操作ハンドルとから主に構成される。
【０００３】
そして、各弾性板の前端部はその先端が対向するように略Ｌ字状に屈曲させて、さらに該先端を鋭利状にしてそれぞれ上刃および下刃を形成し、これら上刃と下刃との間には指の爪の先端部が挿入される間隙を設けている。
【０００４】
また、操作ハンドルは、さらに前端部の一方の面に突出した支点用凸部を具え、該支点用凸部を上側弾性板上面の前端部の一部に当接させて押圧操作することにより、支点を介してテコの作用で一対の弾性板の前端部を弾性的に閉塞させ、上刃および下刃が爪を押し切るようにしている。
【０００５】
なお、切られた爪屑の飛散を防止するために、上側弾性板および下側弾性板の側面に飛散防止用のカバーを取り付けるようにしたものもある。
【０００６】
このような構成において、手や足の爪を切る際には、上刃と下刃との間隙に指の爪の先端を挿入した状態で、操作ハンドル後端を上側弾性板側に押し下げることによって、爪の先端が上刃と下刃とに挟まれ切断される。
【０００７】
この際、切ろうとする爪の深さを目視で確認しながら位置決めをして使用するが、足の爪を切る際や、高齢者および子供等の介助等、他者の爪を切る際には、切断位置の確認が困難であり、さらに、操作ハンドルを押し下げるまでの間に手元が狂って切断位置がずれ、深爪したり肉部を損傷したりする虞があった。
【０００８】
このような問題に鑑みて、従来から深爪に対し、様々な工夫がなされている。
【０００９】
例えば、突起やカバー、スペーサ等の指頭当接部を下刃の前方に設けて、指先の肉部を押さえるようにしたもの（特許文献１：特開２００６−２０４６３７号公報）、下刃の代わりに上刃より前方に突き出た水平姿勢の突き当て部を設けて、該突き当て部を爪と肉部との間に差し込むようにしたもの（特許文献２：特開２０１０−６９０９７号公報）等、刃の位置に対して指先の肉部または爪先の位置を規制して、物理的に肉部の刃間への侵入を阻止する技術が開示されている。
【００１０】
また、前方に付勢する薄板ばねを下刃の後方に設けて、該薄板ばねの抵抗力よって爪が上下刃の間隙に挿入される量を制限する技術が開示されている（特許文献３：特開２００３−５２４４４号公報）。
【００１１】
しかしながら、大人の足の親指の爪と子供の手の小指の爪とでは爪のサイズ差が大きく、特許文献１のような指頭当接部を具える爪切り具は、例えば子供の指等の細い指だと、指頭当接部を乗り越えて刃間に指を挟む虞があり、同じ仕様の爪切り具で爪を切ることは困難である。
【００１２】
また、特許文献２のような突き当て部を有する爪切り具は、例えば介助人が被介助人の爪を切る場合に、突き当て部の先端を爪と肉部との間に差し込む際に、突き当て部の先端が視認できず、加減を誤って突き刺してしまって、爪と肉部との間を痛めたり損傷したりする虞がある。
【００１３】
また、特許文献３の爪切り具は、爪先と薄板ばねとで押し合いながら操作ハンドルを押し下げることになるので、切断時の持ち手の中における安定性が不足している。
【００１４】
他方、切断位置よりも先端側の部分を視認するための小窓を上側弾性板の前端部に設けたもの（特許文献４：実登３１２１７４２号公報）、操作ハンドルに拡大レンズを取り付けて切断部を拡大視できるようにしたもの（特許文献５：実登３０４１０１７号公報）等、使用者の注意力を補助する技術が開示されている。
【００１５】
しかしながら、自分自身の手の爪を切る場合と、足の指を切る場合と、他人の指を切る場合と、それぞれ爪切り具を向ける方向は違うので、それぞれに対応可能な小窓や拡大レンズを用意するのは困難である。
【００１６】
また、特許文献４の小窓は、切断位置よりも先端側の部分を上側から視認するものなので、肉部側の視認はできず、依然肉部の損傷の虞を有する。また、特許文献５の拡大レンズは操作ハンドルに取り付けられており、爪の切断時に操作ハンドルに追従して動くため、焦点の中心が切断位置からずれるばかりか、操作時の安定性を低下させる原因にもなる虞がある。
【先行技術文献】
【特許文献】
【００１７】
【特許文献１】特開２００６−２０４６３７号公報
【特許文献２】特開２０１０−６９０９７号公報
【特許文献３】特開２００３−５２４４４号公報
【特許文献４】実登３１２１７４２号公報
【特許文献５】実登３０４１０１７号公報
【考案の概要】
【考案が解決しようとする課題】
【００１８】
そこで、本考案は、上述した事情に鑑み、様々な使用者や使用状況に対応し、かつ、使用時における持ち手の中での安定性を十分に有する深爪防止爪切り具を提供することを目的とする。
【課題を解決するための手段】
【００１９】
上述した課題を解決するために、本考案の深爪防止爪切り具は、弾性を有する２枚の長板からなってかつ互いに上下に対向して配置されて二又形状になるようにそれぞれの後端部を接合された上側弾性板および下側弾性板と、該上側弾性板および下側弾性板の前端部近傍に設けられた開口部を貫通する略円柱形状の支軸と、該支軸の上端部近傍において該支軸の直径方向を回転軸として搖動可能に枢結される操作ハンドルと、を具え、前記上側弾性板の前端部を下方向に屈曲してその先端を鋭利状にして形成した上刃と、前記下側弾性板の前端部を上方向に屈曲してその先端を鋭利状にして形成した下刃とが、前記操作ハンドルの搖動によって接近および離間し、前記支軸は、その位置が前記下側弾性板に対して軸方向に変位可能であって、前記支軸の変位を規制して前記下側弾性板に対する前記支軸の位置を調整可能に係止する係止機構が、前記下側弾性板と前記支軸との間に設けられるようにしている。
【考案の効果】
【００２０】
このように、上側弾性板と下側弾性板との支軸上の距離を変位可能にしたことによって、操作ハンドルを操作していない状態における上刃および下刃の間の間隙である初期刃間距離を調節可能にしたので、この初期刃間距離を爪のサイズに合わせて適宜調節することによって、指先の肉部を刃間内に侵入させることなく、また、操作ハンドルを押圧し始めてから爪を切断するまでの移動距離を必要最小限にすることができ、使用時の安定性が向上し、様々な使用者や使用状況においても深爪を防止することが可能である。
【図面の簡単な説明】
【００２１】
【図１】本考案に係る深爪防止爪切り具の第１の実施形態を示す、（ａ）平面図、（ｂ）右側面図、（ｃ）底面図、である。
【図２】本考案に係る深爪防止爪切り具の第１の要部の実施形態を示す中央縦断面図において、（ａ）初期刃間距離が最も大きい状態、（ｂ）、初期刃間距離が中程の状態、（ｃ）初期刃間距離がゼロの状態、を示す図である。
【図３】本考案に係る深爪防止爪切り具の第２の実施形態を示す、（ａ）平面図、（ｂ）右側面図、（ｃ）底面図、である。
【図４】本考案に係る深爪防止爪切り具の第２の要部の実施形態を示す中央縦断面図において、（ａ）初期刃間距離が最も大きい状態、（ｂ）、初期刃間距離が中程の状態、（ｃ）初期刃間距離がゼロの状態、を示す図である。
【図５】本考案に係る深爪防止爪切り具の第３の実施形態を示す、（ａ）平面図、（ｂ）右側面図、（ｃ）底面図、である。
【図６】本考案に係る深爪防止爪切り具の第３の実施形態における、回転つまみ受部を示す、（ａ）右側面図、（ｂ）底面図、（ｃ）斜下視図、および、回転つまみを示す、（ｄ）平面図、（ｅ）斜上視図、（ｆ）中央縦断面図、である。
【図７】本考案に係る深爪防止爪切り具の第３の実施形態において、初期刃間距離が、（ａ）最も大きい状態、（ｂ）、中程の状態、（ｃ）最も小さい状態、を示す要部の中央縦断面図（但し、回転つまみ受部は右側面視、回転つまみは透過表示）、および、（ｄ）（ａ）の状態、（ｅ）（ｂ）の状態、（ｆ）（ｃ）の状態、における回転つまみおよび回転つまみ受部の底面図（但し、回転つまみは透過表示）である。
【図８】本考案に係る深爪防止爪切り具の第４の実施形態を示す、（ａ）平面図、（ｂ）右側面図、（ｃ）底面図、である。
【図９】本考案に係る深爪防止爪切り具の第４の実施形態の要部を示す中央縦断面図において、（ａ）初期刃間距離が最も大きい状態、（ｂ）、初期刃間距離が中程の状態、（ｃ）初期刃間距離がゼロの状態、を示す図である。
【図１０】本考案に係る深爪防止爪切り具の第５の実施形態を示す、（ａ）平面図、（ｂ）右側面図、（ｃ）底面図、である。
【図１１】本考案に係る深爪防止爪切り具の第５の実施形態の要部を示す、（ａ）中央縦断面図、（ｂ）正面図、（ｃ）右側面図、（ｄ）底面図、である。
【図１２】本考案に係る深爪防止爪切り具の第５の実施形態の要部を示す中央縦断面図において、（ａ）初期刃間距離が最も大きい状態、（ｂ）、初期刃間距離が中程の状態、（ｃ）初期刃間距離が最も小さい状態、を示す図である。
【考案を実施するための形態】
【００２２】
以下、添付図面を参照して本考案の好適な実施の形態を詳細に説明する。なお、下記実施例は、本考案の好適な実施の形態を示したものに過ぎず、本考案の技術的範囲は、下記実施例そのものに何ら限定されるものではない。
【００２３】
（第１の実施形態）
図１および図２に示す第１の実施形態の深爪防止爪切り具１０は、前端に上刃１１１を形成する上側弾性板１１と、前端に下刃１２１を形成する下側弾性板１２と、持ち手カバー１３と、支軸１４と、操作ハンドル１５と、ピン１６と、回転つまみ１７と、Ｅ型止め輪１８とから主に構成される。
【００２４】
上側弾性板１１および下側弾性板１２は、それぞれ弾性を有した金属の長板であって、上下に対向して配置され、二又形状になるようにそれぞれの後端部を接合して、上側弾性板１１および下側弾性板１２の弾性によってこれらの前端部が常時開放方向に付勢されるよう構成される。
【００２５】
上側弾性板１１は、その前端部において下方向に鈍角に屈曲し、その先端を鋭利状にして上刃１１１を形成している。また、中心よりも前方に位置する屈曲部１１２において上方向に屈曲して、前端部よりも後端部の方が上方に位置するように形成している。
【００２６】
上側弾性板１１前端部近傍に設けた開口部（符号を付与せず）には、略円柱形状の支軸１４が貫通して設けられる。支軸１４は、上側弾性板１１に対して軸方向に摺動可能かつ軸周りに回動可能であるように設けられるとともに、その下部には後述する回転つまみ１７と係合する雄ねじ部１４１を形成している。
【００２７】
支軸１４の上端部近傍には、支軸１４の直径方向を回転軸とするピン１６が軸支され、さらに、ピン１６を介して操作ハンドル１５が支軸１４に対して搖動可能に枢結される。
【００２８】
操作ハンドル１５は、その前端部の一方の面に突出した支点用凸部１５１を具え、支点用凸部１５１を上側弾性板１１上面の前端部の一部に当接させて下方に押圧操作することにより、支点を介してテコの作用で上側弾性板１１を支軸１４に沿って下方に押し下げるようにしている。
【００２９】
なお、操作ハンドル１５の支点用凸部１５１を上面側にした状態で、操作ハンドル１５の後端を上側弾性板１１に押し下げることによって、操作ハンドル１５が上側弾性板１１に沿うように収納することができる。
【００３０】
他方、下側弾性板１２は、その前端部において上方向に略直角かまたは若干鋭角に屈曲し、その先端を鋭利状にして下刃１２１を形成して、上刃１１１との間に指の爪の先端部が挿入される間隙を設けている。また、屈曲部１１２よりも前方に位置する屈曲部１２２において上方向に屈曲して、前端部よりも後端部の方が上方に位置するように形成している。
【００３１】
下側弾性板１２前端部近傍に設けた開口部（符号を付与せず）には、支軸１４と同軸を有する回転つまみ１７が設けられる。回転つまみ１７は、中心に非貫通孔を有する円筒形状の軸部である嵌挿部１７１と、この嵌挿部１７１の下端に形成され外側に張り出した鍔であってその外周面に平目ローレット加工面を形成している把手部１７２とを具えており、非貫通孔の内周面には支軸１４の雄ねじ部１４１に係合する雌ねじ部１７３を形成している。
【００３２】
そして、把手部１７２が下側弾性板１２の下面側に位置するように嵌挿部１７１の上端部を下側弾性板１２の上面側に突出させるとともに、嵌挿部１７１の外周面に設けた溝（符号を付与せず）にＥ型止め輪１８が嵌合して、把手部１７２とＥ型止め輪１８が下側弾性板１２を狭み込むことによって、回転つまみ１７が、下側弾性板１２に対して上下方向の移動を規制されかつ回動自在に構成される。
【００３３】
上記構成によれば、図２に示すように、回転つまみ１７の把手部１７２を回動させることによって、雌ねじ部１７３および雄ねじ部１４１を介し、下側弾性板１２および回転つまみ１７に対して支軸１４が上下動する。上側弾性板１１は常時上方に付勢されるので、支軸１４に追従して上側弾性板１１が上下動し、操作ハンドル１５を押圧していない状態における、上刃１１１および下刃１２１の間の間隙（以降、初期刃間距離と称す）を調節することができる。
【００３４】
さらに、図１（ｃ）に示すように、本実施形態の持ち手カバー１３は、その前端部が把手部１７２の外周面に沿うように円弧形状に凹設されるとともに、その中心に突起部１３１を形成しており、把手部１７２の平目ローレット加工面の谷部の一つと突起部１３１とが噛み合うようにして、爪切り時において回転つまみ１７が予期せず回動するのを防ぐようにしている。
【００３５】
なお、使用者が把手部１７２を回動させて初期刃間距離を調節する際に、把手部１７２の平目ローレット加工面の山部における突起部１３１に対する抵抗力が大きくなり過ぎないように、各形状および寸法を適宜設定することが好ましい。
【００３６】
（第２の実施形態）
図３および図４に示す第２の実施形態の深爪防止爪切り具２０は、前端に上刃２１１を形成する上側弾性板２１と、前端に下刃２２１を形成する下側弾性板２２と、持ち手カバー２３と、支軸２４と、操作ハンドル２５と、ピン２６と、回転つまみ２７とから主に構成され、基本的な構成は第１の実施形態である深爪防止爪切り具１０と類似するが、支軸２４の下部、回転つまみ２７、およびこれらの周辺における下側弾性板２２の構成に差異を有する。
【００３７】
回転つまみ２７は、中心に貫通孔（符号を付与せず）を有し、円筒形状の軸部である嵌挿部２７１と、この嵌挿部２７１の下端に形成され外側に張り出した鍔であってその外周面に平目ローレット加工面を形成している把手部２７２とを具えており、嵌挿部２７１の外周面には雄ねじ部２７３を形成している。
【００３８】
回転つまみ２７の貫通孔には、支軸２４の下部が貫通して、支軸２４下端に形成され外側に張り出した鍔である抜け止め部２４１によって、支軸２４が回転つまみ２７から上方に抜けないようにしている。この際、回転つまみ２７が支軸２４に対して回転自在となるように、支軸２４の径に対して、貫通孔の径が若干大きくなるように形成すると良い。
【００３９】
そして、下側弾性板２２前端部近傍に設けた開口部（符号を付与せず）の内周面には雌ねじ部２２２を形成して、下側弾性板２２と回転つまみ２７とを、雌ねじ部２２２および雄ねじ部２７３を介して螺送可能に係合している。
【００４０】
上記構成によれば、図４に示すように、回転つまみ１７の把手部２７２を回動させることによって、雄ねじ部２７３および雌ねじ部２２２を介し、支軸２４および回転つまみ２７に対して、下側弾性板２２が上下動する。これにより、操作ハンドル２５を押圧していない状態における、上刃２１１および下刃２２１の初期刃間距離を調節することができる。
【００４１】
（第３の実施形態）
図５乃至図７に示す第３の実施形態の深爪防止爪切り具３０は、前端に上刃３１１を形成する上側弾性板３１と、前端に下刃３２１を形成する下側弾性板３２と、持ち手カバー３３と、支軸３４と、操作ハンドル３５と、ピン３６と、回転つまみ３７とから主に構成され、基本的な構成は第２の実施形態である深爪防止爪切り具２０と類似するが、回転つまみ３７、およびその周辺における下側弾性板３２の構成と、回転つまみ受部３８を有する点において差異を有する。
【００４２】
下側弾性板３２前端部近傍の下面には、支軸３４と同軸を有する略円柱形状の回転つまみ受部３８が固着し、さらに、回転つまみ受部３８の下方および側方を覆うよう、下端が閉塞した略円筒形状の回転つまみ３７が配設される。この際、回転つまみ３７の内径は、回転つまみ受部３８の外径よりも若干大きく形成して、回転つまみ受部３８に対して回転つまみ３７が回転自在であるようにしている。
【００４３】
回転つまみ受部３８および回転つまみ３７は、これらの中心に貫通孔（符号を付与せず）を有する（図６等参照）。下側弾性板３２前端部近傍設けた開口部（符号を付与せず）と、該貫通孔とに支軸３４が貫設されて、支軸３４下端に形成され外側に張り出した鍔である抜け止め部３４１によって、回転つまみ３７を支承するようにしている。
【００４４】
図６に示すように、回転つまみ受部３８は、その下面が周方向に９分割されて、３段の螺旋階段が３つ形成されるよう、下段部３８１と、下段部よりも下方に突出した中段部３８２と、中段部よりもさらに下方に突出した上段部３８３とをそれぞれ３つずつ有する。なお、各段部の境界には傾斜部を形成して、なだらかな曲面を形成するようにしている。
【００４５】
他方、回転つまみ３７は、内側の底面を周方向に３分割した位置にそれぞれ１つずつ上方に突出した３つの凸部３７１を形成し、凸部３７１の上端部が、下段部３８１、中段部３８２、上段部３８３のいずれかの下面に当接するように構成される。さらに、回転つまみ３７の外周面には平目ローレット加工面を形成している把手部２７２を具えている。
【００４６】
上記構成によれば、図７に示すように、回転つまみ３７の把手部３７２を回動させることによって、凸部３７１が、下段部３８１から中段部３８３に、中段部３８２から上段部３８３に乗り上げたり、上段部３８３から中段部３８２に、中段部３８２から下段部３８１に下りたりすることによって、回転つまみ受部３８および下側弾性板３２に対して回転つまみ３７および支軸３４が上下動する。上側弾性板３１は常時上方に付勢されるので、支軸３４に追従して上側弾性板３１が上下動し、操作ハンドル３５を押圧していない状態における、上刃３１１および下刃３２１の初期刃間距離を調節することができる。
【００４７】
（第４の実施形態）
図８および図９に示す第４の実施形態の深爪防止爪切り具４０は、前端に上刃４１１を形成する上側弾性板４１と、前端に下刃４２１を形成する下側弾性板４２と、持ち手カバー４３と、支軸４４と、操作ハンドル４５と、ピン４６と、Ｃ型止め輪４７と、半球状カバー４８とから主に構成され、基本的な構成は第１の実施形態である深爪防止爪切り具１０と類似するが、下側弾性板２２前端部近傍、およびその周辺の構成と、Ｃ型止め輪４７および半球カバー４８を具える点と、初期刃間距離を調節する操作方法において差異を有する。
【００４８】
支軸４４の下部には雄ねじ部４４１を形成し、下側弾性板４２前端部近傍に設けた開口部（符号を付与せず）の内周面には雄ねじ部１４１に係合する雌ねじ部４２２を形成して、下側弾性板４２と支軸４４とを、雌ねじ部４２２および雄ねじ部２７３を介して螺送可能に係合している。
【００４９】
そして、支軸４４の下端近傍にはＣ型止め輪４７が嵌合して、支軸４４が下側弾性板４２から上方に抜けないようにしており、さらに、安全および美観のために、支軸４４の下端部を覆うよう、下側弾性板４２下面側に半球状カバー４８を取り付けている。
【００５０】
上記構成によれば、図９に示すように、操作ハンドル４５によって支軸４４を回動させることによって、雄ねじ部４４１および雌ねじ部４２２を介し、支軸４４に対して、下側弾性板４２が上下動する。これにより、操作ハンドル４５を押圧していない状態における、上刃４１１および下刃４２１の初期刃間距離を調節することができる。
【００５１】
（第５の実施形態）
図１０乃至図１２に示す第５の実施形態の深爪防止爪切り具５０は、前端に上刃５１１を形成する上側弾性板５１と、前端に下刃５２１を形成する下側弾性板５２と、持ち手カバー５３と、支軸５４と、操作ハンドル５５と、ピン５６と、摺動つまみ５７と、摺動つまみ受部５８とから主に構成され、基本的な構成は第２の実施形態である深爪防止爪切り具２０と類似するが、支軸５４の下部、およびその周辺における下側弾性板５２の構成と、摺動つまみ５７および摺動つまみ受部５８を具える点と、初期刃間距離を調節する操作方法において差異を有する。
【００５２】
図１１に示すように、下側弾性板５２前端部近傍の下面には、前後方向に直線状のガイド溝５２２を形成しており、このガイド溝５２２と、摺動つまみ５７の上面に形成したガイドリブ５７１とが係合して、摺動つまみ５７が下側弾性板５２の下面に沿って前後方向に摺動するようにしている。なお、使用者の操作容易性を向上するために、摺動つまみ５７の両側面には平目ローレット加工面に形成した把手部５７２を具えている。
【００５３】
また、摺動つまみ５７は、略直方体形状に形成され、その中央部には上下に貫通する長孔５７３を有する。この長孔５７３には支軸５４が貫通して、摺動つまみ５７が長孔５７３において支軸５４と内接しかつ支軸５４に対して前後方向に摺動可能であるように、支軸５４の径と同等の幅を有するとともに前後方向に長軸を有するように構成している。そして、長孔５７３の前端部または後端部が支軸５４に当接することによって、摺動つまみ５７の前後方向への摺動移動が規制されるようにしている（図１２（ａ）および（ｃ）参照）。
【００５４】
さらに、摺動つまみ５７の長孔５７３下端部の両側縁には、前方に向かって上方に傾斜するよう、摺動つまみ５７の下面から凹設される傾斜レール５７４を形成している。
【００５５】
他方、支軸５４の下端には、外側に張り出した鍔である抜け止め部５４１を形成しており、この抜け止め部５４１の上面には、支軸５４の径と同幅かつ支軸５４と同軸の貫通孔（符号を付与せず）を有する摺動つまみ受部５８が支承されている。
【００５６】
摺動つまみ受部５８の上面は、後方に向かって下方に傾斜する傾斜上面５８１としており、傾斜上面５８１の両側端部が、摺動つまみ５７の傾斜レール５７４と対向して摺接するよう構成される。すなわち、図１２（ａ）に示すように、摺動つまみ５７が後方に移動すると、摺動つまみ受部５８が摺動つまみ５７に対して上方に移動し、図１２（ｃ）に示すように、摺動つまみ５７が前方に移動すると、摺動つまみ受部５８が摺動つまみ５７に対して下方に移動するものである。
【００５７】
上記構成によれば、図１２に示すように、摺動つまみ５７を前後に摺動させることによって、摺動つまみ５７の傾斜レール５７４および摺動つまみ受部５８の傾斜上面５８１を介し、下側弾性板５２に対して、支軸５４および摺動つまみ受部５８が上下動する。上側弾性板５１は常時上方に付勢されるので、支軸５４に追従して上側弾性板５１が上下動し、操作ハンドル５５を押圧していない状態における、上刃２１１および下刃２２１の初期刃間距離を調節することができる。
【００５８】
さらに、図１１（ａ）に示すように、傾斜レール５７４上の複数の位置（本実施形態においては３箇所ずつ）に位置決め溝５７５を形成し、摺動つまみ受部５８の傾斜上面５８１の両側端部における中央部に位置決め突起５８２を設けて、位置決め溝５７５に位置決め突起５８２が噛み合うようにするようにして、爪切り時において摺動つまみ５７が予期せず摺動するのを防ぐようにしている
【００５９】
なお、使用者が把手部５７２を摺動させて初期刃間距離を調節する際に、位置決め突起５８２の傾斜レール５７４に対する抵抗力が大きくなり過ぎないように、各形状および寸法を適宜設定することが好ましい。
【００６０】
このように、上側弾性板と下側弾性板との支軸上の距離を変位可能にしたことによって、初期刃間距離を調節可能にしたので、この初期刃間距離を爪のサイズに合わせて適宜調節することによって、指先の肉部を刃間内に侵入させることなく、また、操作ハンドルを押圧し始めてから爪を切断するまでの移動距離を必要最小限にすることができ、使用時の安定性が向上する。
【産業上の利用可能性】
【００６１】
本発明は、様々な使用者や使用状況においても深爪を防止することが可能であるので、自分自身の手および足の指の爪のみならず、乳幼児や被介護者等の他者の爪を切る際にも有用に利用することができる。
【符号の説明】
【００６２】
（第１の実施形態）
１０    深爪防止爪切り具
１１    上側弾性板
１１１  上刃
１１２  屈曲部
１２    下側弾性板
１２１  下刃
１２２  屈曲部
１３    持ち手カバー
１３１  突起部
１４    支軸
１４１  雄ねじ部
１５    操作ハンドル
１５１  支点用凸部
１６    ピン
１７    回転つまみ
１７１  嵌挿部
１７２  把手部
１７３  雌ねじ部
１８    Ｅ型止め輪
【００６３】
（第２の実施形態）
２０    深爪防止爪切り具
２１    上側弾性板
２１１  上刃
２２    下側弾性板
２２１  下刃
２２２  雌ねじ部
２３    持ち手カバー
２４    支軸
２４１  抜け止め部
２５    操作ハンドル
２６    ピン
２７    回転つまみ
２７１  嵌挿部
２７２  把手部
２７３  雄ねじ部
【００６４】
（第３の実施形態）
３０    深爪防止爪切り具
３１    上側弾性板
３１１  上刃
３２    下側弾性板
３２１  下刃
３３    持ち手カバー
３４    支軸
３４１  抜け止め部
３５    操作ハンドル
３６    ピン
３７    回転つまみ
３７１  凸部
３７２  把手部
３８    回転つまみ受部
３８１  下段部
３８２  中段部
３８３  上段部
【００６５】
（第４の実施形態）
４０    深爪防止爪切り具
４１    上側弾性板
４１１  上刃
４２    下側弾性板
４２１  下刃
４２２  雌ねじ部
４３    持ち手カバー
４４    支軸
４４１  雄ねじ部
４５    操作ハンドル
４６    ピン
４７    Ｃ型留め輪
４８    半球状カバー
【００６６】
（第５の実施形態）
５０    深爪防止爪切り具
５１    上側弾性板
５１１  上刃
５２    下側弾性板
５２１  下刃
５２２  ガイド溝
５３    持ち手カバー
５４    支軸
５４１  抜け止め部
５５    操作ハンドル
５６    ピン
５７    摺動つまみ
５７１  ガイドリブ
５７２  把手部
５７３  長孔
５７４  傾斜レール
５７５  位置決め溝
５８    摺動つまみ受部
５８１  傾斜上面
５８２  位置決め突起
【図１】
0003205053.tif 000003
【図２】
0003205053.tif 000004
【図３】
0003205053.tif 000005
【図４】
0003205053.tif 000006
【図５】
0003205053.tif 000007
【図６】
0003205053.tif 000008
【図７】
0003205053.tif 000009
【図８】
0003205053.tif 000010
【図９】
0003205053.tif 000011
【図１０】
0003205053.tif 000012
【図１１】
0003205053.tif 000013
【図１２】
0003205053.tif 000014